(57)【特許請求の範囲】
【請求項１】
カード本体と、カード本体上に設けられたＲＦ装置と、ドーターカードインターフェースと、を含むＲＦドーターカードであって、
前記ＲＦ装置は、前記ドーターカードインターフェースと電気的に接続されて１つのＲＦチャンネルを実現し、
前記カード本体は、ＲＦリモートユニットマザーボード上のカードスロットを介して該ＲＦリモートユニットマザーボードに取外し可能に接続され、前記カード本体が前記ＲＦリモートユニットマザーボードに接続された時、前記ドーターカードインターフェースが前記ＲＦリモートユニットマザーボード上のマザーボードインターフェースと電気的に接続され、前記マザーボードインターフェースは、前記ＲＦリモートユニットマザーボード上の組合されてＩＦチャンネルを実現するためのＩＦ処理装置と接続される、ＲＦドーターカード。
【請求項２】
前記ドーターカードインターフェースは、前記カード本体の前記カードスロット内に嵌合される一端に設けられ、前記カード本体が前記カードスロット内に嵌合されたとき、前記ドーターカードインターフェースは、前記カードスロットの底部のマザーボードインターフェースと電気的に接続される、請求項１に記載のＲＦドーターカード。
【請求項３】
前記ＲＦ装置は、順に接続された増幅器、フィルタ、アンテナを含み、前記増幅器は、前記ドーターカードインターフェースと電気的に接続される、請求項１または２に記載のＲＦドーターカード。
【請求項４】
ボード本体と、ボード本体上に設けられたプロセッサと、ＩＦリソースプールと、カードスロットと、マザーボードインターフェースと、を含むＲＦリモートユニットマザーボードであって、
前記ＩＦリソースプールは、組合されることによってＩＦチャンネルを実現する複数のＩＦ処理装置を含み、前記マザーボードインターフェースは、前記ＩＦリソースプールにおけるＩＦ処理装置と電気的に接続され、
前記カードスロットは、前記ドーターカードインターフェースと前記マザーボードインターフェースとが電気的に接続されるよう、請求項１〜３のいずれか一項に記載のＲＦドーターカードのカード本体と嵌合接続するために用いられ、
前記プロセッサは、前記カードスロット内に現在接続されているＲＦドーターカードおよび現在のサービス構成情報を基に、必要なＲＦドーターカードを選定し、前記ＩＦリソースプールから対応するＩＦ処理装置を選択することで、選定されたＲＦドーターカードによって実現されるＲＦチャンネルに対応するＩＦチャンネルを実現するように設けられる、ＲＦリモートユニットマザーボード。
【請求項５】
前記ボード本体上には、少なくとも２つのカードスロットと、少なくとも２つのマザーボードインターフェースとが設けられ、前記少なくとも２つのカードスロットと前記少なくとも２つのマザーボードインターフェースは一対一に対応し、前記少なくとも２つのマザーボードインターフェースは、それぞれ前記少なくとも２つのカードスロットの底部に設けられる、請求項４に記載のＲＦリモートユニットマザーボード。
【請求項６】
前記ＩＦ処理装置は、デジタル−アナログ変換器、アナログ−デジタル変換器、デジタルプリディストーションプロセッサ、ピーククリッピング装置、補間フィルタ、数値制御発振器、デジタルアップコンバータ、デジタルダウンコンバータを含む、請求項４に記載のＲＦリモートユニットマザーボード。
【請求項７】
前記ＩＦリソースプールにおけるＩＦ処理装置は、相互接続選択レジスタによって相互接続され、
前記プロセッサは、
前記現在のサービス構成情報およびカードスロット内に現在接続されているＲＦドーターカードの能力情報を基に、必要なＲＦドーターカードを選定して、必要なＩＦ処理装置および各ＩＦ処理装置間の接続関係を確定し、
前記相互接続選択レジスタを配置して、前記各ＩＦ処理装置を接続することにより、選定されたＲＦドーターカードによって実現されるＲＦチャンネルに対応するＩＦチャンネルを実現するように設けられる、請求項４〜６のいずれか一項に記載のＲＦリモートユニットマザーボード。
【請求項８】
請求項１〜３のいずれか一項に記載のＲＦドーターカードと、請求項４に記載のＲＦリモートユニットマザーボードを含み、
前記ＲＦドーターカードは、前記ＲＦリモートユニットマザーボード上のカードスロットと取外し可能に接続され、前記ドーターカードインターフェースは、前記マザーボードインターフェースと電気的に接続される、ＲＦリモートユニット。
【請求項９】
前記ＲＦリモートユニットマザーボードのＩＦリソースプールにおけるＩＦ処理装置は、相互接続選択レジスタによって相互接続され、
前記プロセッサはさらに、
サービス構成情報が変更され、ＩＦ処理装置を更新する必要がある時、変更後のサービス構成に従って必要なＩＦ処理装置および各ＩＦ処理装置間の接続関係を再確定し、前記相互接続選択レジスタを再構成して、前記各ＩＦ処理装置を接続することにより、変更後のサービス構成に対応するＩＦチャンネルを実現するように設けられる、請求項８に記載のＲＦリモートユニット。
【請求項１０】
前記ＲＦリモートユニットマザーボードのボード本体上には、少なくとも２つのカードスロットと、少なくとも２つのマザーボードインターフェースとが設けられ、前記少なくとも２つのカードスロットと前記少なくとも２つのマザーボードインターフェースは一対一に対応し、前記少なくとも２つのマザーボードインターフェースは、それぞれ前記少なくとも２つのカードスロットの底部に設けられ、
前記プロセッサはさらに、
前記ＲＦドーターカードの動作中、ＲＦドーターカードがカードスロットを離脱したか否かおよび／またはＲＦドーターカード上のＲＦ装置に故障が発生したか否かを監視し、
カードスロットを離脱した場合または故障が発生した場合、前記ボード本体のカードスロットに空いたＲＦドーターカードが接続されているか否かを判断し、
空いたＲＦドーターカードが接続されている場合、１つの空いたＲＦドーターカードを選択し、選択した空いたＲＦドーターカードを基に必要なＩＦ処理装置および各ＩＦ処理装置間の接続関係を確定し、前記相互接続選択レジスタを配置して、前記各ＩＦ処理装置を接続することで、選択した空いたＲＦドーターカードによって実現されるＲＦチャンネルに対応するＩＦチャンネルを実現するように設けられる、請求項９に記載のＲＦリモートユニット。
【請求項１１】
ベースバンド処理ユニットと、請求項８〜１０のいずれか一項に記載のＲＦリモートユニットと、を含み、前記ＲＦリモートユニットが前記ベースバンド処理ユニットに接続される基地局であって、
前記ＲＦリモートユニットマザーボードのプロセッサは、
前記ＲＦリモートユニットマザーボードのボード本体上のカードスロット内に現在接続されているＲＦドーターカードの能力情報を取得し、前記能力情報を前記ベースバンド処理ユニットにフィードバックし、
前記ベースバンド処理ユニットから送信されたサービス構成情報を基に、前記ＲＦリモートユニットマザーボードのボード本体上のカードスロット内に現在接続されているＲＦドーターカードから必要なＲＦドーターカードを選定し、前記ＲＦリモートユニットマザーボードのＩＦリソースプールから対応するＩＦ処理装置を選択することで、選定されたＲＦドーターカードによって実現されるＲＦチャンネルに対応するＩＦチャンネルを実現するように設けられ、
前記ベースバンド処理ユニットは、
前記プロセッサからフィードバックされる前記能力情報に基づいて、前記プロセッサへサービス構成情報を送信するように設けられる、基地局。
【請求項１２】
請求項８〜１０のいずれか一項に記載のＲＦリモートユニットを含むＲＦリモートユニットのチャンネル自動構築方法であって、
前記ＲＦリモートユニットマザーボードのボード本体上のカードスロット内に現在接続されているＲＦドーターカードの能力情報を取得し、前記能力情報をベースバンド処理ユニットにフィードバックすることと、
前記ベースバンド処理ユニットから前記能力情報に基づいて送信されたサービス構成情報を受信することと、
前記サービス構成情報を基に、前記ＲＦリモートユニットマザーボードのボード本体上のカードスロット内に現在接続されているＲＦドーターカードから必要なＲＦドーターカードを選定し、前記ＲＦリモートユニットマザーボードのＩＦリソースプールから対応するＩＦ処理装置を選択することで、選定されたＲＦドーターカードによって実現されるＲＦチャンネルに対応するＩＦチャンネルを実現することと、を含む、ＲＦリモートユニットのチャンネル自動構築方法。
【請求項１３】
コンピュータプログラムが記憶され、前記コンピュータプログラムがプロセッサによって実行される時、請求項１２に記載のＲＦリモートユニットのチャンネル自動構築方法を前記プロセッサに実行させる、コンピュータ読み取り可能記憶媒体。
【発明の詳細な説明】
【技術分野】
【０００１】
本発明は、無線通信の分野に関し、具体的に基地局、ＲＦリモートユニットおよびそのマザーボード、ＲＦドーターカードならびにチャンネル自動構築方法に関する。
【背景技術】
【０００２】
基地局は、無線通信ネットワークに不可欠な構成要素であり、従来の基地局は一般的に、ベースバンド処理ユニット（Ｂｕｉｌｄｉｎｇ  Ｂａｓｅ  ｂａｎｄ  Ｕｎｉｔ，ＢＢＵ）とＲＦリモートユニット（Ｒａｄｉｏ  Ｒｅｍｏｔｅ  Ｕｎｉｔ，ＲＲＵ）とから構成されている。同時に、サービス態様が拡大を続けるなか、小パワーによるブラインド補償のような基地局の形態も現れている。そして、これらの基地局の形態において、比較的固定された特徴は、各ＲＦチャンネル上のパワー増幅器といったＲＦ装置が単一ボード上に統合され、全てのＲＦ装置に対応するＩＦ処理装置も固定化されることである。従って、一旦単一ボードが成型されると、ＲＦリモートユニットのＲＦ能力およびＩＦ能力等はすべて固定化される。よって、基板が加工成型されると、ＲＦリモートユニットの能力は固定化され、ＲＦチャンネルに故障が出現したり,ＲＦチャンネルの能力が不十分である時、一部を交換することができず、単一ボード全体を交換することしかできないため、使用コストが高くなる。
【発明の概要】
【発明が解決しようとする課題】
【０００３】
本発明の実施例では、基地局、ＲＦリモートユニットおよびそのマザーボード、ＲＦドーターカードならびにチャンネルの自動構築方法を提供することで、ＲＦリモートユニット上の装置が固定化されることにより能力が固定化され、使用のコストが高くなる問題を少なくとも部分的に解決する。
【課題を解決するための手段】
【０００４】
本発明の実施例では、カード本体と、カード本体上に設けられたＲＦ装置と、ドーターカードインターフェースと、を含むＲＦドーターカードを提供する。前記ＲＦ装置は、前記ドーターカードインターフェースと電気的に接続されて１つのＲＦチャンネルを実現する。前記カード本体は、ＲＦリモートユニットマザーボード上のカードスロットを介して該ＲＦリモートユニットマザーボードに取外し可能に接続され、前記カード本体が前記ＲＦリモートユニットマザーボードに接続された時、前記ドーターカードインターフェースと前記ＲＦリモートユニットマザーボード上のマザーボードインターフェースとが電気的に接続され、前記マザーボードインターフェースは、前記ＲＦリモートユニットマザーボード上の組合されてＩＦチャンネルを実現するためのＩＦ処理装置と接続される。
【０００５】
本発明の実施例ではさらに、ボード本体と、ボード本体上に設けられたプロセッサと、ＩＦリソースプールと、カードスロットと、マザーボードインターフェースと、を含むＲＦリモートユニットマザーボードを提供する。前記ＩＦリソースプールは、組合されてＩＦチャンネルを実現する複数のＩＦ処理装置を含み、前記マザーボードインターフェースは、前記ＩＦリソースプールにおけるＩＦ処理装置と電気的に接続される。前記カードスロットは、前記ドーターカードインターフェースと前記マザーボードインターフェースとが電気的に接続されるよう、本発明に記載のＲＦドーターカードのカード本体と嵌合接続するために用いられる。前記プロセッサは、前記カードスロット内に現在接続されているＲＦドーターカードおよび現在のサービス構成情報を基に、必要なＲＦドーターカードを選定し、前記ＩＦリソースプールから対応するＩＦ処理装置を選択することで、選定されたＲＦドーターカードによって実現されるＲＦチャンネルに対応するＩＦチャンネルを実現するように設けられる。
【０００６】
本発明の実施例ではさらに、本発明に記載のＲＦドーターカードと、本発明に記載のＲＦリモートユニットマザーボードを含むＲＦリモートユニットを提供する。前記ＲＦドーターカードは、前記ＲＦリモートユニットマザーボード上のカードスロットと取外し可能に接続され、前記ドーターカードインターフェースは、前記マザーボードインターフェースと電気的に接続される。
【０００７】
本発明の実施例ではさらに、ベースバンド処理ユニットと、本発明に記載のＲＦリモートユニットと、を含み、前記ＲＦリモートユニットが前記ベースバンド処理ユニットに接続される、基地局を提供する。前記ＲＦリモートユニットマザーボードのプロセッサは、前記ＲＦリモートユニットマザーボードのボード本体上のカードスロット内の現在接続されているＲＦドーターカードの能力情報を取得し、前記能力情報を前記ベースバンド処理ユニットにフィードバックし、前記ベースバンド処理ユニットから送信されたサービス構成情報を基に、前記ＲＦリモートユニットマザーボードのボード本体上のカードスロット内に現在接続されているＲＦドーターカードから必要なＲＦドーターカードを選定し、前記ＲＦリモートユニットマザーボードのＩＦリソースプールから対応するＩＦ処理装置を選択することで、選定されたＲＦドーターカードによって実現されるＲＦチャンネルに対応するＩＦチャンネルを実現するように設けられる。前記ベースバンド処理ユニットは、前記プロセッサからフィードバックされる前記能力情報に基いて、前記プロセッサへサービス構成情報を送信するように設けられる。
【０００８】
本発明の実施例ではさらに、ＲＦリモートユニットのチャンネル自動構築方法を提供し、前記ＲＦリモートユニットマザーボードのボード本体上のカードスロット内に現在接続されているＲＦドーターカードの能力情報を取得し、前記能力情報をベースバンド処理ユニットにフィードバックすることと、前記ベースバンド処理ユニットから前記能力情報に基づいて送信されたサービス構成情報を受信することと、前記サービス構成情報を基に、前記ＲＦリモートユニットマザーボードのボード本体上のカードスロット内に現在接続されているＲＦドーターカードから必要なＲＦドーターカードを選定し、前記ＲＦリモートユニットマザーボードのＩＦリソースプールから対応するＩＦ処理装置を選択することで、選定されたＲＦドーターカードによって実現されるＲＦチャンネルに対応するＩＦチャンネルを実現することと、を含む。
【０００９】
本発明の実施例ではさらに、コンピュータプログラムが記憶されたコンピュータ可読記憶媒体を提供し、前記コンピュータプログラムがプロセッサによって実行される時、本発明に記載のＲＦリモートユニットのチャンネル自動構築方法を前記プロセッサに実行させる。
【図面の簡単な説明】
【００１０】
ここで説明する図面は、本発明をさらに理解するために提供され、本願の一部を構成する。本発明の例示的な実施例およびその説明は本発明を理解するために用いられるものであって、本発明を制限するものではない。
【００１１】
【図１】図１は、本発明の各実施例に基づくＲＦドーターカードの構造概念図である。
【図２】図２は、本発明の各実施例に基づくＲＦドーターカードの構造概念図である。
【図３】図３は、本発明の各実施例に基づくＲＦドーターカードの構造概念図である。
【図４】図４は、本発明の実施例に基づくＲＦリモートユニットマザーボードの構造概念図である。
【図５】図５は、本発明の実施例に基づくＩＦリソースプールの構造概念図である。
【図６】図６は、本発明の実施例に基づくＲＦリモートユニットマザーボードの構造概念図である。
【図７】図７は、本発明の実施例に基づくＲＦリモートユニットの構造概念図である。
【図８】図８は、本発明の実施例に基づくＲＦリモートユニットのチャンネル自動構築方法の概念フローチャートである。
【図９】図９は、本発明の実施例に基づく基地局のチャンネル自動構築方法の概念フローチャートである。
【発明を実施するための形態】
【００１２】
以下では、具体的な実施形態を組み合わせて、本発明についてさらに詳細に説明する。
本発明の実施例によるＲＦリモートユニットは、ＲＦドーターカードとＲＦリモートユニットマザーボードを含む。ＲＦドーターカード上のＲＦ装置が１つのＲＦチャンネルを実現し、ＲＦリモートユニットマザーボード上のＩＦリソースプールには、組合されることによってＩＦチャンネルを実現する複数のＩＦ処理装置が設けられる。ＲＦドーターカードとＲＦリモートユニットマザーボードは、カードスロットによって取外し可能に接続することができ、ＲＦリモートユニットマザーボード上のプロセッサは、カードスロット内に現在接続されているＲＦドーターカードおよび現在のサービス構成情報を基に、必要なＲＦドーターカードを選定し、ＩＦリソースプールから対応するＩＦ処理装置を選択することで、該ＲＦドーターカードによって実現されるＲＦチャンネルに対応するＩＦチャンネルを実現できる。本発明の実施例によれば、ＲＦチャンネルを実現するためのＲＦドーターカードは、ＲＦリモートユニットマザーボードから取外し可能で、ＲＦリモートユニットマザーボード上のＩＦリソースは具体的なサービスとＲＦドーターカードに応じて柔軟に組み合わせることができるため、ＲＦリモートユニットのＲＦ能力とＩＦ能力を柔軟に変化させることで、様々なアプリケーションニーズに適応できる。本発明をよりよく理解するために、以下では本発明によるＲＦドーターカードとＲＦリモートユニットマザーボード（単一ボードとも称される）についてそれぞれ例示する。
【００１３】
図１〜図３は、本発明の各実施例に基づくＲＦドーターカードの構造概念図であり、図４は、本発明の実施例に基づくＲＦリモートユニットマザーボードの構造概念図である。
図１と図４を参照すると、本実施例に基づくＲＦドーターカードは、カード本体１１と、カード本体上１１に設けられたＲＦ装置１３と、ドーターカードインターフェース１２と、を含む。本実施例によれば、１つのカード本体１１上のＲＦ装置１３は１つのＲＦチャンネル（即ち、ＲＦリンク）を実現することに用いられる。
【００１４】
本実施例に基づくＲＦドーターカードのカード本体１１は、ＲＦリモートユニットマザーボード上のカードスロット２５に取外し可能に接続される。本実施例によれば、カード本体１１がＲＦリモートユニットマザーボードに接続された時、カード本体１１上のドーターカードインターフェース１２がＲＦリモートユニットマザーボード上のマザーボードインターフェース２４に電気的に接続される。マザーボードインターフェース２４は、ＲＦリモートユニットマザーボード上で組合されてＩＦチャンネルを実現するためのＩＦ処理装置に接続されるため、ＲＦチャンネルとＩＦチャンネルとの接続関係が構築される。
【００１５】
図１と図４を参照すると、本実施例に基づくＲＦドーターカードのドーターカードインターフェース１２は、カード本体１１の、カードスロット２５内に嵌合される一端に設けることができる。カード本体１１は、カードスロット２５に挿入または嵌め込む方法によりＲＦリモートユニットマザーボードに取外し可能に接続することができ、もちろん、他の方法を採用して取外し可能に接続することもできる。ＲＦリモートユニットマザーボード上のマザーボードインターフェース２４は、カードスロット２５内に直接設置することができる。接触の信頼性と利便性を保証するために、マザーボードインターフェース２４は、カードスロット２５の底部に直接設置することができる。カード本体１１が前記カードスロット２５内に嵌合された時、ドーターカードインターフェース１２がカードスロット２５底部のマザーボードインターフェース２４に電気的に接続される。
【００１６】
本実施例に基づくドーターカードインターフェース１２とマザーボードインターフェース２４をカードスロット２５以外の領域に設け、且つ配線によってお互いに接続できることも理解され得る。
【００１７】
本実施例によれば、ＲＦドーターカード上のＲＦ装置１３は、送信ＲＦチャンネル（即ち、送信ＲＦリンク）を実現することも、受信ＲＦチャンネル（即ち、受信ＲＦリンク）を実現することもでき、また、異なるＲＦドーターカードは異なる周波数帯域のＲＦチャンネルを実現してもよいし、同一周波数帯域のＲＦチャンネルを実現してもよい。したがって、具体的な需要に応じて柔軟に設置することができる。
【００１８】
図２を参照すると、本発明の実施例によれば、ＲＦドーターカードのカード本体１１上に設けられたＲＦ装置１３は、順に接続された増幅器１３１、フィルタ１３２、アンテナ１３３を含み、増幅器１３１は、ドーターカードインターフェース１２に電気的に接続することができる。ＲＦ装置１３が受信ＲＦチャンネルを実現する時、増幅器１３１に低雑音増幅器１３１を採用することができる。増幅器１３１、フィルタ１３２、アンテナ１３３の種類および具体的な機能パラメータ等は具体的な応用場面に応じて柔軟に設定できることが理解され得る。例えば、図３に示すように、ＲＦドーターカードのドーターカードインターフェース１２は金端子によって実現でき、カード本体１１がＲＦリモートユニットマザーボード上のカードスロット２５内に嵌合された時、ドーターカードインターフェース１２の金端子は、カードスロット２５底部におけるマザーボードインターフェース２４を実現するための金端子（図６を参照）に電気的に接続されることができ、接触の信頼性を保証するだけでなく、適応の便利さも保証できる。ＲＦ装置１３には、同図に示す増幅器１３１、フィルタ１３２、アンテナ１３３等を除く装置を含むことができ、実際の需要に応じて柔軟に設定することができる。
【００１９】
上記方法により、ＲＦ装置１３のリンクボードをカード化し、ＲＦ装置１３のリンクを、ＲＦチャンネルの特徴に応じて機能的に独立した各ＲＦドーターカードに分割する。ＲＦリモートユニットマザーボード上には、対応するカードスロット２５が予め設けられている。ＲＦドーターカードは、カードスロット２５を介してＲＦリモートユニットマザーボードとのハードリンクを完成させ、ＲＦリモートユニットマザーボードは、カードスロット２５内のマザーボードインターフェース２４の回路によって、既に接続されているＲＦドーターカードの数と、各ＲＦドーターカードの能力情報等を取得することで、ＲＦリンクおよびＩＦリンク等を選択し構築することができる。理解しやすいよう、以下では図４と結び付けてＲＦリモートユニットマザーボードについて例示する。
【００２０】
図４を参照すると、ＲＦリモートユニットマザーボードは、ボード本体２１と、ボード本体２１上に設けられたプロセッサ２３と、ＩＦリソースプール２２と、カードスロット２５と、マザーボードインターフェース２４と、を含む。ＩＦリソースプール２２には、組合されることによってＩＦチャンネルを実現する複数のＩＦ処理装置が含まれる。即ち、本発明の実施例によれば、ＩＦリソースプール２２におけるＩＦ処理装置の接続関係および帰属するＲＦチャンネルに対して何の限定もされていないが、実際の需要に応じて、必要なＩＦ処理装置を柔軟に選択し論理的に組合せることによりＩＦチャンネル（即ち、ＩＦリンク）を実現できる。
【００２１】
本実施例によれば、マザーボードインターフェース２４は、ＩＦリソースプール２２におけるＩＦ処理装置に電気的に接続され、カードスロット２５は、ＲＦドーターカードのカード本体１１と嵌合接続されることで、ＲＦドーターカードカード本体１１上のドーターカードインターフェース１２とマザーボードインターフェース２４とを電気的に接続させるために用いられる。
【００２２】
プロセッサ２３は、ＲＦリモートユニットマザーボード上のカードスロット２５内に現在接続されているＲＦドーターカードおよび現在のサービス構成情報を基に、必要なＲＦドーターカードを選定し、ＩＦリソースプール２２から対応するＩＦ処理装置を選択して、選定されたＲＦドーターカードによって実現されるＲＦチャンネルに対応するＩＦチャンネルを実現して、ＲＦチャンネルおよびＩＦチャンネルの自動構築を実現できる。
【００２３】
本実施例によれば、ＩＦ処理装置は、デジタル−アナログ変換器、アナログ−デジタル変換器、デジタルプリディストーションプロセッサ、ピーククリッピング装置、補間フィルタ、数値制御発振器、デジタルアップコンバータ、デジタルダウンコンバータを含むことができる（しかし、これらに限らない）。実際の需要に応じて、どのような装置を含み、どのような装置を選択するかを柔軟に設定できる。
【００２４】
本実施例によれば、ＩＦリソースプール２２におけるＩＦ処理装置は、相互接続選択レジスタによって相互接続され、即ち、種類が異なり、且つ選択的に相互接続された基本ユニット資源プールを形成してから、相互接続選択レジスタをソフトウェアによって動的に構成し、信号経路上で装置の選択的相互接続を実現して、ＩＦチャンネルの自動構築プロセスを実現する。マルチプレクサまたはルックアップテーブル（Ｌｏｏｋ−Ｕｐ  Ｔａｂｌｅ，ＬＵＴ）等の様々な方法によって、このような汎用リソースの選択的相互接続を実現できる。ＦＰＧＡまたはＡＳＩＣの方法を用いて、デジタルＩＦ設計を実現できる。以下では、補間フィルタ、数値制御発振器、ピーククリッピング装置、デジタルプリディストーションプロセッサリソースユニットを例に、本発明の実施例に基づくＩＦリソースプールを説明する。
【００２５】
図５は、本発明の実施例に基づくＩＦリソースプールの構造概念図である。
図５に示すように、各基本ユニットは、そのタイプに応じてそれぞれアレイ状に配置され、アレイにおける基本ユニットは選択論理ユニットＬＵＴによって相互接続される。
ソフトウェアによってルーティングコンフィギュレーションレジスタインターフェイスを設定し、入力信号ストリームは第１段階において、フィルタ資源プールから任意のフィルタユニット、数値制御発振器資源プールから任意の数値制御発振器、ピーククリッピング装置資源プールから任意のピーククリッピング装置、デジタルプリディストーションプロセッサ資源プールから任意のデジタルプリディストーションプロセッサを選択することで、論理仮想ＩＦチャネルを構築し、ＩＦ信号の処理プロセスを完了できる。同様な方法で、他の論理仮想チャネルの構築および信号処理も完成できる。ルーティングコンフィギュレーションレジスタを設定する時に、ソフトウェアによって資源プールにおける各基本ユニット資源の状態と相互排除管理を維持し保証することができる。
【００２６】
ＲＦリモートユニットマザーボードのボード本体２１上には、少なくとも２つのカードスロット２５を設けると同時に、少なくとも２つのマザーボードインターフェース２４も相応に設けることができる。図６に示すように、カードスロット２５とマザーボードインターフェース２４は一対一に対応するように設けることができ、マザーボードインターフェース２４は、カードスロット２５の底部に設けることができる。これにより、複数の異なるＲＦドーターカードを同時に接続させて、複数のＲＦチャンネルおよび対応するＩＦチャンネルを実現し、さまざまなサービス需要を満たすことができる。
【００２７】
ＲＦリモートユニットマザーボード上のプロセッサ２３は、（例えば、ベースバンド処理ユニットからの）現在のサービス構成情報およびカードスロット２５内に現在接続されているＲＦドーターカードの能力情報を基に、必要なＲＦドーターカードを選定して、必要なＩＦ処理装置および各ＩＦ処理装置間の接続関係を確定し、相互接続選択レジスタを相応に配置して、各ＩＦ処理装置を接続することで、ＩＦチャンネルを実現することに用いることができる。
【００２８】
ＲＦリモートユニットマザーボード上のプロセッサ２３は、マザーボードインターフェース２４によってどのカードスロット２５内にＲＦドーターカードが接続されているかが分かり、即ち、ＲＦリモートユニットマザーボード上に現在接続されている各ＲＦドーターカードを取得し、さらに、これらのＲＦドーターカードの能力情報を取得し、取得されたＲＦドーターカードの能力情報をベースバンド処理ユニットに報告できる。ベースバンド処理ユニットは、ＲＦリモートユニットの実際の能力を知り、これを後続のセル構築のための制約とすることで、バックグラウンドから構成されたセルがＲＦリモートユニットの物理的サポート能力を超えないことを保証できる。
【００２９】
本発明の実施例によれば、ＲＦドーターカードの能力情報には、ＲＦリモートユニット周波数帯域能力、ＲＦリモートユニットチャンネル能力、ＲＦリモートユニットキャリア結合能力等が含まれる（しかし、これらに限らない）。例えば、ＲＦリモートユニットが、Ｆ周波数帯域、デュアルチャンネルをサポートし、各チャンネル上で最大２つの１０Ｍキャリアをサポートしている場合、この能力をメッセージ形式で情報本体に入力してから、ボード間通信の形でベースバンド処理ユニットに告知する。
【００３０】
以下のとおり、表１に周波数帯域能力テーブルを示す。
【００３１】
【表１】
0006821115.tif 000002
【００３２】
以下のとおり、表２にＲＦチャンネル能力テーブルを示す。
【００３３】
【表２】
0006821115.tif 000003
【００３４】
以下のとおり、表３にキャリア結合能力テーブルを示す。
【００３５】
【表３】
0006821115.tif 000004
【００３６】
以下のとおり、表４にセル情報テーブルを示す。
【００３７】
【表４】
0006821115.tif 000005
【００３８】
以下のとおり、表５に周波数点情報テーブルを示す。
【００３９】
【表５】
0006821115.tif 000006
【００４０】
このように、ベースバンド処理ユニットは、サービス初期構成段階において（例えば、セルを初めて構成する時）、ＲＦリモートユニットの能力情報に応じて、ＲＦリモートユニットへ実際のサービス構成情報を送信する。ＲＦリモートユニットは、ベースバンド処理ユニットから送信された実際のサービス構成情報状況に応じて、サービス構成を満たすことができるＲＦドーターカード、およびＩＦリソースプール２２における対応するＩＦ処理装置および各ＩＦ処理装置の接続関係情報（ＩＦサブシステム基本ユニットのルーティング情報とも呼ばれる）を分析し、ルーティングコンフィギュレーションレジスタインターフェイスによって該ルーティング情報を基礎ＩＦサブシステムに配置する。基礎ＩＦサブシステムは、該ルーティング情報によってＩＦリソースプール２２から必要なＩＦ処理装置（即ち、基本ユニット）を動的に選択し、各基本ユニット間のトポロジ接続を完成させることで、実際のバックグラウンド構成を満たすために必要なＩＦ物理リンクを構築して、（例えば、初期構成段階における）ＲＦリンク全体の構築プロセスを完了する。原則として、ルーティング方法には多くの選択があってよく、トポロジ接続が簡単であるという原則に従って選択できる。選択アルゴリズムはソフトウェアによって実現できる。具体的なアルゴリズムおよび実現方法についてここでは省略する。
【００４１】
本実施例によれば、バックグラウンドサービス変更段階（セルの追加や削除など）で、ＲＦリモートユニットマザーボード上のプロセッサ２３は、変更後のサービス構成情報に従って新しいルーティング情報を生成できる。基礎デジタルＩＦサブシステムは、新しいルーティング情報に基づいて、物理チャンネル上に既に構築されているＩＦサブシステム機能ユニットと、未構築のＩＦリソースプール２２における基本ユニットの新しい帰属およびそのトポロジ接続関係とを動的に調整し、変更後のサービスを満たすことができるＩＦリンクの構築を完了する。該段階において、ＩＦ基本機能ユニットの構築は、優先的にＲＦ能力を満たし、次にトポロジ接続が簡単であるという原則を満たすように行うことができる。原則選択アルゴリズムは、ソフトウェアによって設計できる。
【００４２】
また、ＲＦドーターカードの動作中、ＲＦリモートユニットマザーボード上のプロセッサ２３は、ＲＦリモートユニットマザーボードカードスロット２５上のＲＦドーターカードのインポジション状態および故障状態を動的に監視することもできる。ＲＦドーターカードのカードスロット２５からの離脱（即ち、数の減少）か、或いはいずれかのＲＦドーターカードの故障（例えば、ＲＦ装置１３の故障）が存在することが検出された場合、プロセッサ２３は、スペアとして他に空いてるＲＦドーターカードユニットがあるかを分析する。スペアのＲＦドーターカード資源がある場合、新しいＩＦルーティングが生成され、スペアのＲＦドーターカードを用いて、損失または損壊されたＲＦドーターカードに対応するＩＦリンクを再構築する。スペアのＲＦドーターカード資源がない場合、デバイスに異常警告アラームを報告して、ＲＦリモートユニットのＲＦドーターカード異常後の自動構築ホットスワップを実現する。また、ＲＦドーターカードの数の増加またはいずれかのボードカードが故障状態から使用可能状態に変わったことが検出された場合、プロセッサ２３は、ＲＦ能力情報を収集および統計し直し、メッセージによりベースバンド処理ユニットに報告して、ＲＦリモートユニットの能力の動的拡張を実現できるため、各応用場面により適している。
【００４３】
図７は、本発明の実施例に基づくＲＦリモートユニットの構造概念図である。
本発明の実施例では、ＲＦドーターカードと、ＲＦリモートユニットマザーボードを含むＲＦリモートユニットを提供する。ＲＦドーターカードは、ＲＦリモートユニットマザーボード上のカードスロット２５と取外し可能に接続され、ＲＦドーターカードのドーターカードインターフェース１２は、ＲＦリモートユニットのマザーボードインターフェース２４に電気的に接続される。
【００４４】
ＲＦマザーボードユニット上のプロセッサ２３は、カードスロット２５内に現在接続されているＲＦドーターカードおよび現在のサービス構成情報を基に、必要なＲＦドーターカードを選定し、ＩＦリソースプール２２から対応するＩＦ処理装置を選択して、選定されたＲＦドーターカードが実現するＲＦチャンネルに対応するＩＦチャンネルを実現する。
【００４５】
本実施例におけるＲＦユニットのマザーボード上には、複数のカードスロット２５を設けることができ、ＩＦリソースプール２２のＩＦ処理装置は、複数のＲＦチャンネル（即ち、ＲＦリンク）をサポートできることが理解され得る。異なる種類、異なる能力のＲＦドーターカードは、実際の需要に応じてＲＦリモートユニットマザーボード上に柔軟に装着できる。例えば、図７に示すＲＦリモートユニットを参照すると、ＲＦドーターカードとＲＦリモートユニットマザーボードは金端子インターフェースによって接続され、両者はカードスロット２５によって取外し可能に接続される。しかし、カードスロット２５という取外し可能な接続方法に限らないことが理解され得る。図７では、ＲＦリンクのデジタル−アナログ（ＤＡ）／アナログ−デジタル（ＡＤ）に応じて装置に対する区別を行っている。送信パス上のＤＡの後のアンテナ１３３端に近い回路と、受信パス上のＡＤの前のアンテナ１３３端に近い回路はまとめてレイアウトされ、即ち、ＲＦドーターカードにまとめられ、該ＲＦドーターカードの片側にハードウェア接続インターフェースが設けられている。同時に、送信パス上のＤＡの前の、ＤＡの論理上光ポートに近い側を含む回路と、受信パス上のＡＤの後の、論理上ベースバンドに近い側を含む回路はまとめてレイアウトされ、即ち、ＲＦリモートユニットマザーボード（デジタルマザーボードとも称する）にまとめられ、ＲＦドーターカードとのハードウェア接続のために、マザーボードの片側にＮ個のスロットインターフェースが設けられている。ＲＦドーターカードとデジタルマザーボードとの間のスロットインターフェースは、電気接続と連結の需要を満たすことができればいかなる種類のハードウェアインターフェースであってもよく、例えば、図７に示す、金端子スロットインターフェースであってもよい。
【００４６】
論理的ＩＦを設計する際、ＩＦキャリア処理全体における一部の基本ユニット（即ち、ＩＦ処理装置、例えば、補間フィルタ、数値制御発振器、ピーククリッピング装置、デジタルプリディストーションプロセッサ等）を種類に応じてそれぞれアレイにレイアウトし、アレイにおける基本ユニットは選択論理ユニットによって相互接続され、即ち、種類が異なりかつ選択的に相互接続できる基本ユニット資源プールを形成する。次に、その相互接続選択レジスタをソフトウェアによって動的に配置し、信号経路上のデバイスの選択的相互接続を完成させることで、チャンネルの自動構築プロセスを実現する。ここで、汎用リソースの選択的相互接続は、マルチプレクサやルックアップテーブルなど、さまざまな方法で実現できる。デジタルＩＦの設計方法は、ＦＰＧＡまたはＡＳＩＣ等の方法を採用することができる。ソフトウェアによってルーティングコンフィギュレーションレジスタインターフェースを構成し、入力信号ストリームは、最初の段階で後段のフィルタ資源プールにおける任意のフィルタユニットを選択できる。資源プールにおける基本ユニット資源の状態と相互排他管理は、ルーティングレジスタを構成する時にソフトウェアによって維持および保証できる。
【００４７】
図８は、本発明の実施例に基づくＲＦリモートユニットのチャンネル自動構築方法の概念フローチャートである。
【００４８】
本発明の実施例によれば、ＲＦリモートユニットのチャンネル自動構築方法には、ステップＳ８０１〜Ｓ８０３を含むことができる。
【００４９】
Ｓ８０１では、ボード本体２１上のカードスロット２５内に現在接続されているＲＦドーターカードの能力情報を取得し、前記能力情報をベースバンド処理ユニットにフィードバックする。
【００５０】
ＲＦリモートユニットマザーボードの電源投入段階において、ＲＦリモートユニットマザーボード上のプロセッサ２３は、カードスロット２５インターフェースによって、現在マザーボード上に挿入されているＲＦドーターカードの数およびドーターカードの種類を取得するとともに、これによって、そのサポート可能な最大ＲＦ能力を推定し、この能力情報をメッセージの形式でベースバンド処理ユニットに告知し、ベースバンド処理ユニットは、上記によって該ＲＦリモートユニットの実際能力を認識し、これを後続のセル構築のための制約として、バックグラウンドから構成されたセルがＲＦリモートユニットの物理的にサポート可能な能力を超えないように保証する。
【００５１】
Ｓ８０２では、ベースバンド処理ユニットから各ＲＦドーターカードの能力情報を基に送信されたサービス構成情報を受信する。
【００５２】
Ｓ８０３：サービス構成情報を基に、ボード本体２１上のカードスロット２５内の現在接続されているＲＦドーターカードから必要なＲＦドーターカードを選定するとともに、ＩＦリソースプール２２から対応するＩＦ処理装置を選択して、選定されたＲＦドーターカードによって実現されるＲＦチャンネルに対応するＩＦチャンネルを実現する。
【００５３】
サービス初期構成の段階において（例えば、セルを初めて構成する時）、ＲＦリモートユニットは、ベースバンド処理ユニットから送信された実際のサービス構成情報に応じて、該サービス構成を満たすことができるＲＦドーターカード、およびＩＦリソースプールにおける基本ユニットの接続関係情報（ＩＦサブシステム基本ユニットのルーティング情報とも称される。略称は、ルーティング情報）を分析し、ルーティングコンフィギュレーションレジスタインターフェースによって、基礎デジタルＩＦサブシステムに配置する。基礎デジタルＩＦサブシステムは該ルーティング情報によってＩＦデジタル資源プールから必要な基本ユニットを動的に選択し、各基本ユニット間のトポロジ接続を完成させて、実際のバックグラウンド構成を満たすために必要なＩＦ物理リンクを構築することで、初期構成段階のＲＦリンク全体の構築プロセスを完了する。該段階では、ルーティング選択には原則として複数の選択があってよく、トポロジ接続が簡単であるという原則によって選択できる。選択アルゴリズムは、ソフトウェアによって実現できる。
【００５４】
本発明の実施例によれば、該段階で、ＲＦリモートユニットは、リンク上のＲＦリンクの能力（例えば、ＲＦリモートユニット周波数帯域能力、ＲＦリモートユニットチャンネル能力、ＲＦリモートユニットキャリア結合能力を含む）に基づいて、ボード間メッセージの形式でＲＦリモートユニットがサポートする周波数帯域、チャンネルと周波数帯域のマッピング関係、チャンネル上でサポートできるキャリアの帯域幅構成の組合せ等をベースバンド資源プールに報告する。ベースバンド資源プールは、ＲＦリモートユニットが報告した能力情報情報に基づいて、能力範囲内にあるバックグラウンドで構成されたセル情報と周波数点情報をＲＦリモートユニットに送信する。ＲＦリモートユニットは、ベースバンド資源プールが送信したセル情報におけるアンテナグループ情報とキャリア数情報、および周波数点情報における中心周波数点情報とキャリアベースバンド情報等を分析することにより、トポロジ接続が最も簡単であること、という制約方法に従って、デジタル資源プールにおける各種基本ユニットのトポロジ接続関係を確定するための情報（即ち、ルーティング情報）を動的に生成する。同じ構成に対して、異なる基本ユニットのトポロジ接続が複数存在し、即ち、異なるルーティング情報が存在する。具体的なサービス状況に応じて、１）トポロジ接続が簡単であること、２）既に存在するトポロジが不変であること、３）全体的に移行すること等の制約または制約の組み合わせにより、さらにスクリーニングを実行して、最終的なルーティング情報を生成できる。ここでの制約アルゴリズムは、以下のように説明できる。即ち、トポロジ接続が簡単であること、という制約条件で、特定のＲＦリンクに選択的に接続されるＩＦリソースプール２２における各基本ユニットの番号は、必ず最も近い資源番号でなければならない。トポロジが不変であること、という制約条件で、新しく追加されるルーティング情報において、関連のＩＦ資源は、構築される前に必ず未使用の状態である必要がある。全体的に移行すること、という制約条件で、ＩＦリソースプール２２における各ＩＦ資源のトポロジ関係を変更せずに、指定されたＲＦ資源上に強制的に接続する。
【００５５】
ルーティングコンフィギュレーションレジスタインターフェースによって、最終ルーティング情報に対応する真値をＦＰＧＡサブシステムに設定してから、関連サービスパラメータの構成操作を行い、全体的なＲＦリモートユニットの上り／下りリンクの初期自動構築プロセスを完了する。電源投入段階で、マザーボード上のプロセッサ２３は、現在サポートしているＲＦ能力（例えば、ＲＦリモートユニット周波数帯域能力、ＲＦリモートユニットチャンネル能力、ＲＦリモートユニットキャリア結合能力を含む）を取得する。例えば、ＲＦリモートユニットが、Ｆ周波数帯域、デュアルチャンネルをサポートし、チャンネル毎に最大２つの１０Ｍキャリアをサポートしている場合、この能力をメッセージ形式で情報本体に入力した後、ボード間通信の形式によってベースバンド処理ユニットに告知できる。ベースバンド処理ユニットは、上記によってＲＦリモートユニットの実際能力を知り、これを後続のセル構築の制約とし、バックグラウンドから構成されるセルがＲＦリモートユニットの物理的にサポート可能な能力を超えないことを保証できる。入力結果は以下のテーブルに示すとおりである。
【００５６】
表６に周波数帯域能力テーブル（表１）の入力例を示す。
【００５７】
【表６】
0006821115.tif 000007
【００５８】
表７にチャンネル０のＲＦチャンネル能力テーブル（表２）の入力例を示す。
【００５９】
【表７】
0006821115.tif 000008
【００６０】
表８にチャンネル１のＲＦチャンネル能力テーブル（表２）の入力例を示す。
【００６１】
【表８】
0006821115.tif 000009
【００６２】
表９にチャンネル０のキャリア結合能力のテーブル（表３）の入力例を示す。
【００６３】
【表９】
0006821115.tif 000010
【００６４】
表１０にチャンネル１のキャリア結合能力のテーブル（表３）の入力例を示す。
【００６５】
【表１０】
0006821115.tif 000011
【００６６】
図８により、初期電源投入時のサービス構成と、ＲＦチャンネルとＩＦチャンネルの自動構築プロセスを完了することができる。例えば、バックグラウンドサービス初期構成段階において（例えば、セルを初めて構成する時）、ＲＦリモートユニットは、ベースバンド処理ユニットから送信された実際のセル情報と周波数点情報におけるアンテナグループ、キャリア数、中心周波数点、キャリア帯域幅等を基に、トポロジ接続が最も簡単であることという制約を満たすルーティング情報を分析する。例えば、取得されたセル情報と周波数点情報において、アンテナグループフィールド情報が１、キャリア数フィールド情報が１、中心周波数点が１８８０５（単位は１００ｋｚ）、キャリア帯域幅が２０Ｍ（単位はｂｐｓ）である場合、これに基づいて、ＲＦリモートユニット上のチャンネル０とチャンネル１上に、帯域幅が１０Ｍ、周波数点が１８８０５（単位は１００ＫＺ）のキャリアをそれぞれ構築するようマッピングしてから、トポロジ接続が最も簡単であることという制約に従って、次のようなルーティング情報を取得できる。例えば、ＩＦリソースプール２２において、補間フィルタ資源プール内の番号が１の差分フィルタを、数値制御発振器資源プール内の番号が１の数値制御発振器機能ユニットに選択的に接続し、さらに、ピーククリッピング装置資源プール内の番号が１のピーククリッピング装置機能ユニットに選択的に接続し、さらに、デジタルプリディストーションプロセッサ資源プール内の番号が１のデジタルプリディストーションプロセッサ機能ユニットに選択的に接続した後、さらにチャンネル０のＲＦ資源に選択的に接続する。同様に、補間フィルタ資源プール内の番号が２の差分フィルタを、数値制御発振器資源プール内の番号が２の数値制御発振器機能ユニットに選択的に接続し、さらに、ピーククリッピング装置資源プール内の番号が２のピーククリッピング装置機能ユニットに選択的に接続し、さらに、デジタルプリディストーションプロセッサ資源プール内の番号が２のデジタルプリディストーションプロセッサ機能ユニットに選択的に接続した後、さらにチャンネル１のＲＦ資源に選択的に接続する。その後、このようなルーティング情報に対応する真値をＦＰＧＡのＩＦサブシステムに設定し、ＩＦサブシステムは真値の指示に従って実際の物理的接続を完了することで、ＲＦリモートユニットの初期構築プロセスを完了する。
【００６７】
本実施例では、サービス構成の変化、ＲＦドーターカードのインポジション状態、ＲＦドーターカードの動作状態に応じて、構築されたチャンネルを動的に調整することもできる。
【００６８】
本発明の実施例によれば、プロセッサ２３は、サービス構成情報の変更において、ＩＦ処理装置を更新する必要がある時、変更後のサービス構成に応じて必要なＩＦ処理装置および各ＩＦ処理装置間の接続関係を再確定し、対応する相互接続選択レジスタを新たに構成して、前記各ＩＦ処理装置を接続することで、ＩＦチャンネルを実現する。もちろん、サービス構成情報の変更においてＩＦ処理装置の変更が必要な時、現在のＲＦチャンネルとＩＦチャンネルを用いてもサービス需要を満たせると判定された場合には、何の変更もしなくても良い。
【００６９】
本発明の実施例によれば、バックグラウンドサービス構成が変化した後、ＲＦリモートユニットは、バックグラウンドから送信されたセル情報におけるアンテナグループ情報、周波数点情報、キャリア数、キャリア帯域幅、および現在のＩＦリソースプール２２内の機能ブロックが空いているかどうかを再分析することにより、新しいＩＦルーティング情報を生成して、ルーティング情報の真値に変換し、基礎ＩＦサブシステムでＩＦサブシステム論理資源プールにおける基本ユニットトポロジの再構築を完成させて、デバイスリンクの動的再調整を達成する。例えば、上記の例に基づいて、各チャンネルにさらに１つの１０Ｍキャリアを追加する場合、変化後の構成情報に基づいて、変化していないリンク上のトポロジが不変であり、且つ新たに生成されたトポロジ接続が最も簡単であること、という制約を満たす新しいルーティング情報を生成できる。即ち、ＩＦリソースプール２２において、補間フィルタ資源プール内の番号が１の差分フィルタを、数値制御発振器資源プール内の番号が１の数値制御発振器の機能ユニットに選択的に接続し、さらにピーククリッピング装置資源プール内の番号が１のピーククリッピング装置機能ユニットに選択的に接続し、さらに、デジタルプリディストーションプロセッサ資源プール内の番号が１のデジタルプリディストーションプロセッサ機能ユニットに選択的に接続した後、さらにチャンネル０のＲＦ資源に選択的に接続して、チャンネル０を処理するための１つ目の１０Ｍキャリアとして用いる。補間フィルタ資源プール内の番号が３の差分フィルタを、番号が３の数値制御発振器機能ユニットに選択的に接続し、さらにピーククリッピング装置資源プール内の番号が３のピーククリッピング装置機能ユニットに選択的に接続し、さらに、デジタルプリディストーションプロセッサ資源プール内の番号が３のデジタルプリディストーションプロセッサ機能ユニットに選択的に接続した後、チャンネル０のＲＦ資源にさらに選択的に接続させて、チャンネル０を処理する２つ目の１０Ｍキャリアとして用いる。補間フィルタ資源プール内の番号が２の差分フィルタを、数値制御発振器資源プール内の番号が２の数値制御発振器機能ユニットに選択的に接続し、さらにピーククリッピング装置資源プール内の番号が２のピーククリッピング装置機能ユニットに選択的に接続し、さらに、デジタルプリディストーションプロセッサ資源プール内の番号が２のデジタルプリディストーションプロセッサ機能ユニットに選択的に接続した後、さらにチャンネル１のＲＦ資源に選択的に接続して、チャンネル１を処理する１つ目の１０Ｍキャリアとして用いる。補間フィルタ資源プール内の番号が４の差分フィルタを、番号が４の数値制御発振器機能ユニットに選択的に接続し、さらにピーククリッピング装置資源プール内の番号が４のピーククリッピング装置機能ユニットに選択的に接続し、さらに、デジタルプリディストーションプロセッサ資源プール内の番号が４のデジタルプリディストーションプロセッサ機能ユニットに選択的に接続した後、さらにチャンネル１のＲＦ資源に選択的に接続して、チャンネル１を処理する２つ目の１０Ｍキャリアとして用いる。その後、このルーティングに対応する真値を、ルーティングコンフィギュレーションレジスタインターフェースによって基礎ＦＰＧＡに設定する。ＦＰＧＡは、ＩＦリソースプール２２における基本ユニットの新しい帰属とそのトポロジ接続関係を順次動的に調整して、変更後のサービスを満みたすことができるＩＦリンクの構築を完成する。
【００７０】
プロセッサ２３はまた、ＲＦドーターカードの動作中に、ＲＦドーターカードのカードスロット２５からの離脱および／またはＲＦドーターカード上のＲＦ装置１３の故障があるか否かを監視するためにも用いられる。離脱または故障が発生した場合、ボード本体２１のカードスロット２５に空いているＲＦドーターカードが接続されているか否かを判断する。空いているＲＦドーターカードが存在する場合、空いているＲＦドーターカードの１つを選択し、選択された空いているＲＦドーターカードのために、必要なＩＦ処理装置および各ＩＦ処理装置間の接続関係を確定し、対応する前記相互接続選択レジスタを構成して、各ＩＦ処理装置を接続することでＩＦチャンネルを実現する。
【００７１】
本発明の実施例によれば、ＲＦデバイスの動作中に、マザーボード上のプロセッサ２３の監視ソフトウェアは、ＲＦリンクの状態を動的に監視する。ＲＦリンクに故障があることが検出された場合、プロセッサ２３は、スペアとして用い得る他に空いているＲＦリンクがあるかを分析する。スペアのＲＦリンクが存在する場合、新たに新しいＩＦルーティングを生成し、スペアのＲＦリンクを利用して、損壊されたＲＦリンクに対応するＩＦリンクを新たに構築する。スペアとして用い得るＲＦチャンネル資源がない場合、システムがデバイス異常警告アラームを報告する。
【００７２】
例えば、チャンネル０のＲＦリンクに異常が発生し、この時、対応するルーティング情報が「補間フィルタ資源プール内の番号が１の差分フィルタを、数値制御発振器資源プール内の番号が１の数値制御発振器機能ユニットに選択的に接続し、さらにピーククリッピング装置資源プール内の番号が１のピーククリッピング装置機能ユニットに選択的に接続し、さらに、デジタルプリディストーションプロセッサ資源プール内の番号が１のデジタルプリディストーションプロセッサ機能ユニットに選択的に接続した後、さらにチャンネル０のＲＦ資源に選択的に接続する」というものであり、チャンネル１のＲＦリンクが正常で且つ空きがある場合、ＩＦルーティング情報は全体をＲＦ資源１上に移動させる。したがって、最終的なルーティング情報は「補間フィルタ資源プール内の番号が１の差分フィルタを、数値制御発振器資源プール内の番号が１の数値制御発振器機能ユニットに選択的に接続し、さらにピーククリッピング装置資源プール内の番号が１のピーククリッピング装置機能ユニットに選択的に接続し、さらに、デジタルプリディストーションプロセッサ資源プール内の番号が１のデジタルプリディストーションプロセッサ機能ユニットに選択的に接続した後、さらにチャンネル１のＲＦ資源に選択的に接続する」に変換される。
【００７３】
この時に利用可能なＲＦリンクの空きがない場合、ルーティング情報は更新されず、関連する故障情報を収集し、ベースバンド資源プールへチャンネルの異常を報告する。
本実施例によって提供されるＲＦリモートユニットは、マザーボード上のＩＦ資源を現在のＲＦドーターカードとサービス需要に応じて柔軟に設定できるため、マザーボード上のＩＦ基本ユニット資源は、各ＲＦチャンネルによって共有可能であり、アイドルリソースが大いに多重化され、資源の利用率が向上する。使用過程において、あるＲＦチャンネルが故障し交換が必要（例えば、パワーアンプユニットの故障）であったり、または能力が需要を満たせない状況において、古いＲＦドーターカードを抜き取って、新しいＲＦドーターカードを挿し込むだけでよく、全機の電源を落とさずに、ＲＦ装置の故障に対するホットスワップが実現され、使用の柔軟性を高めるだけでなく、使用のコストを大幅に低減できる。ＲＦリモートユニットとベースバンド処理ユニットの機能が不変の状況で、能力拡張を行うには、新しく追加されたＲＦドーターカードをカードスロットに挿し込むだけで、全機を再起動した後、能力が自己適応され、自己拡張を行うことができる（この種の拡張方式は静的拡張である）。ベースバンド処理ユニット側の能力に波及することを考慮すれば、ＲＦリモートユニットの電源を落とさない状況で、ＲＦ能力の拡張を行い、即ち、ＲＦリモートユニットのＲＦ能力の動的拡張を実現してもよい。
【００７４】
図９は、本発明の実施例に基づく基地局のチャンネル自動構築方法の概念フローチャートである。
【００７５】
本発明の実施例が提供する基地局は、ベースバンド処理ユニットと、本発明のＲＦリモートユニットと、を含み、ＲＦリモートユニットがベースバンド処理ユニットに接続され、両者を具体的に接続するインターフェースとして、ＯＰＴインターフェース等の様々な接続インターフェースを採用することができる。
【００７６】
ＲＦリモートユニットのプロセッサ２３は、マザーボードボード本体２１上のカードスロット２５内に現在接続されているＲＦドーターカードの能力情報を取得し、ベースバンド処理ユニットにフィードバックし、ベースバンド処理ユニットから送信されたサービス構成情報を基に、ボード本体２１上のカードスロット２５内に現在接続されているＲＦドーターカードから必要なＲＦドーターカードを選定し、ＩＦリソースプール２２から対応するＩＦ処理装置を選択して、選定されたＲＦドーターカードによって実現されるＲＦチャンネルに対応するＩＦチャンネルを実現する。
【００７７】
ベースバンド処理ユニットは、ＲＦリモートユニットの能力情報および現在のサービス需要に基づいて、ＲＦリモートユニットのプロセッサ２３へサービス構成情報を送信する。
【００７８】
本実施例において、基地局は、サービス構成の変化、ＲＦドーターカードのインポジション状態、ＲＦドーターカードの動作状態に応じて、構築されたチャンネルを動的に調整することもできる。図９に示す基地局のチャンネル自動構築方法には、ステップＳ９０１〜Ｓ９１１が含まれる。
【００７９】
Ｓ９０１では、ＲＦリモートユニットの上り／下りパスはＡＤ／ＤＡを境として、アンテナ側に近いリンクをチャンネル単位でドーターカード（即ち、ＲＦドーターカード）にレイアウトし、ベースバンド側に近い回路をデジタルのマザーボード（即ち、ＲＦリモートユニットマザーボード）にレイアウトし、マザーボード上にＮ個の金端子スロットを設け、マザーボードとドーターカードは金端子スロットによって物理的電気接続を行うことができる。
【００８０】
Ｓ９０２では、ＩＦ基本ユニット（補間フィルタ、数値制御発振器、ピーククリッピング装置、デジタルプリディストーションプロセッサ等を含む）を汎用資源プールに一括設計し、ソフトウェアによってＩＦサブシステムのルーティングコンフィギュレーションレジスタインターフェースを構成して、資源プールにおける基本ユニットの動的選択的接続を実現する。
【００８１】
Ｓ９０３では、デジタルマザーボードの電源投入段階において、マザーボードに連結されたドーターカードの数と種類をカードスロット２５によって取得し、その最大ＲＦ能力を分析し、メッセージの形式でベースバンド処理ユニットに報告して、バックグラウンドサービス構成の制約とし、即ち、バックグラウンド構成はドーターカードの最大ＲＦ能力を超えてはならない。
【００８２】
Ｓ９０４では、サービスの初回構成段階において、ＲＦリモートユニットはサービス情報を分析することにより、ルーティング情報を生成し、ルーティングコンフィギュレーションレジスタインターフェースによってＩＦサブシステムに配置して、ＩＦリンクの動的構築、およびＩＦ回路とＲＦドーターカードとの接続を完成させ、その後にサービス情報の処理を完了する。
【００８３】
Ｓ９０５では、サービス構成が変化した時、新しいサービス情報に応じて、ルーティング情報を再生成して配置することで、リンク資源の動的調整を完了する。
Ｓ９０６では、ＲＦデバイスの動作中に、マザーボードプロセッサ２３は、ＲＦドーターカードの状態を周期的に監視し、ドーターカードの故障または数の減少が発生したか否かを観察し、故障または数の減少が発生していない場合、Ｓ９０７に進み、そうでない場合はＳ９０９に進む。
【００８４】
Ｓ９０７では、ドーターカードの数が増加しているかを確認し、増加していない場合はＳ９０６に進み、そうでない場合はＳ９０８に進む。
【００８５】
Ｓ９０８では、メッセージインターフェースによって、バックグラウンドへＲＦ能力の増加を報告し、バックグラウンド構成の制約を動的に更新して、ＲＦ能力の動的拡張を実現する。
【００８６】
Ｓ９０９では、他に空いているＲＦドーターカードがあるか否かを調べ、ある場合はＳ９１０に進み、そうでない場合はＳ９１１に進む。
Ｓ９１０では、新しいルーティング構成テーブルを生成し、ルーティング構成を自動的に更新し、リンクの再構築を完了して、故障のホットスタンバイを実現する。
【００８７】
Ｓ９１１では、ＲＦドーターカードの故障アラームを報告する。
本実施例の基地局によれば、ＲＦリモートユニットにおけるＲＦ装置は、リンクボード／カード化の設計を有することができる。従来の固定化されたＲＦ装置のリンクを、その機能に応じてデジタルボードから物理的に分割し、スロット等のインターフェースによって、デジタルボードにおけるＩＦリンクと接続する。また、マザーボード上にＩＦ基本ユニットの資源プールを構築することで、ＩＦ資源がＲＦリモートユニットのどの特定のリンクまたは特定のキャリアに帰属するかを予め確定させることなく、基本ユニットを汎用資源という方式で資源プールに組み入れて一括管理する。動的に構築する前において、各基本ユニットは、どのＲＦリモートユニットのどの実際のリンクまたはリンク上のキャリアにも属さない。
【００８８】
ＲＦドーターカードの資源およびＩＦリンクの基本ユニットに基づいて、実際の上り／下りリンクを動的に作成する。システムの初回サービス構成段階では、現在システム上に既にあるドーターカードユニットデータおよびドーターカードユニットの対応する能力に応じて、ＩＦリンクプールから必要な基本ユニットを動的に選択し、各基本ユニットのトポロジ接続関係および各関連デバイスの初期化操作を完成させることで、各ＲＦリンクの動的初期構築を完了することができる。
【００８９】
バックグラウンドサービス構成が変化するか、またはＲＦリンクドーターカードの数或いはタイプが変化した場合、資源プールの基本ユニットのトポロジ接続をリアルタイムで調整することで、動作中のＲＦリモートユニットのリンク自己適応を完成させることができる。ＲＦリモートユニットのドーターカードの変化状況を動的に監視し、またはバックグラウンド構成の変化状況に応じて、ＩＦ基本ユニットのトポロジ接続をリアルタイムで動的に再構築して、ＲＦリモートユニットの上り／下りリンクの動的調整を完了することで、故障のホットスタンバイ、およびＲＦ能力の動的拡張をある程度完成させる。
【００９０】
上記本発明の実施例の各モジュールまたは各ステップは、一般的な計算装置を用いて実現でき、それらは単一の計算装置に集中してもよく、または複数の計算装置からなるネットワークに分散してもよく、あるいは、コンピュータ記憶媒体（ＲＯＭ／ＲＡＭ、磁気ディスク、光ディスク）に記憶して計算装置によって実行するように、計算装置で実行可能なプログラムコードで実現されてもよい。そして場合によっては、図示または説明されたステップが上記と異なる順序で実行されてもよく、またはそれらをそれぞれ集積回路モジュールに作製してもよく、またはそれらにおける複数のモジュールまたはステップを単一の集積回路モジュールに作製して実現してもよいことは、当業者が明らかに理解できることである。従って、本発明は、いかなる特定のハードウェアおよびソフトウェアの組み合わせにも限定されない。
【００９１】
以上の内容は、具体的な実施形態を組合せた本発明に対する更なる詳細な説明であり、本発明の具体的な実施はこれらの説明に限定されない。当業者は、本発明の構想から逸脱しない状況において、様々な推論または置き換えを行うことができ、いずれも本発明の請求範囲と見なされる。
【図１】
0006821115.tif 000012
【図２】
0006821115.tif 000013
【図３】
0006821115.tif 000014
【図４】
0006821115.tif 000015
【図５】
0006821115.tif 000016
【図６】
0006821115.tif 000017
【図７】
0006821115.tif 000018
【図８】
0006821115.tif 000019
【図９】
0006821115.tif 000020